(57)【要約】【課題】ネットワークを介して相互に情報の受信および送信が可能である、取得した所望のクーポンの電子クーポン利用情報に基づいて、クーポンの発行管理および回収管理を実行し、回収した電子クーポン情報に基づいて購入商品の精算管理を実行する店舗ＰＯＳシステムと、所定の登録情報に基づいて１個または複数個の電子クーポン登録情報を取得し、店舗ＰＯＳシステムにより指定されたクーポンの電子クーポン情報を提供するクーポン仲介システムとを備えた電子クーポン管理システムを提供する。【解決手段】クーポンの画像情報、精算管理情報等を電子化した電子クーポン情報として、メーカシステムより電子クーポン情報を受信し、受信した電子クーポン情報をメニュー情報としてネットワーク上に公開し、販売店が希望する電子クーポン情報を、ネットワークを介して、販売店の店舗ＰＯＳシステムへ送信する。【選択図】図１
2004171372.tif 000002
【特許請求の範囲】
【請求項１】
ネットワークを介して相互に情報の受信および送信が可能である、取得した所望のクーポンの電子クーポン情報およびクーポン利用契約情報を有する電子クーポン利用情報に基づいて、前記クーポンの発行管理および回収管理を実行し、回収した前記クーポンの前記電子クーポン情報に基づいて購入商品の精算管理を実行する１個または複数個の店舗ＰＯＳ・コンピュータ・システムと、
所定の登録情報に基づいて１個または複数個のクーポンの電子クーポン情報およびクーポン登録管理情報を有する電子クーポン登録情報を取得し、取得した１個または複数個の前記電子クーポン登録情報の電子クーポン情報の中より所定の前記店舗ＰＯＳ・コンピュータ・システムにより指定された所望の前記クーポンの電子クーポン情報を前記店舗ＰＯＳ・コンピュータ・システムへ提供する電子クーポン仲介・コンピュータ・システムと、
を備えた電子クーポン管理システム。
【請求項２】
前記所定の登録情報に基づいて提供される１個または複数個の前記クーポンの電子クーポン登録情報を、ネットワークを介して前記電子クーポン仲介・コンピュータ・システムへ提供するメーカ・コンピュータ・システムを更に備えた、請求項１に記載の電子クーポン管理システム。
【請求項３】
所定の登録情報に基づいて提供される１個または複数個のクーポンの電子クーポン情報およびクーポン登録管理情報を有する電子クーポン登録情報を取得するメーカ受付部と、
前記メーカ受付部により取得した前記電子クーポン登録情報を検証し、検証した前記登録電子クーポン登録情報を所定の記憶部へ格納するメーカ受付情報管理部と、
店舗ＰＯＳ・コンピュータ・システムより、１個または複数個の前記クーポンの中から指定された指定クーポンの利用申し込みするための電子クーポン利用情報を受信し、受信した前記電子クーポン利用情報に基づいて生成された前記指定クーポンの電子クーポン情報を有するダウンロード情報を前記店舗ＰＯＳ・コンピュータ・システムへ送信し、送信した前記ダウンロード情報に基づいて発行された前記指定クーポンの発行クーポン情報、回収された前記指定クーポンの回収クーポン情報を受信する店舗受付部と、
前記店舗受付部より受信した前記電子クーポン利用情報、前記発行クーポン情報および前記回収クーポン情報を検証し、検証した前記電子クーポン利用情報、前記発行クーポン情報および前記回収クーポン情報を所定の記憶部へ格納する店舗受付情報管理部と、
を備えた電子クーポン仲介・コンピュータ・システム。
【請求項４】
前記店舗ＰＯＳ・コンピュータ・システムより指定された前記指定クーポンの値引き補てん金額の請求情報を、前記電子クーポン利用情報、前記発行クーポン情報および前記回収クーポン情報に基づいて検証し、前記電子クーポン登録情報の提供先および、前記電子クーポン利用情報の利用先への決済を実行する決済情報管理部を更に備えた、請求項３に記載の電子クーポン仲介・コンピュータ・システム。
【請求項５】
前記メーカ受付情報管理部は、取得した前記電子クーポン登録情報の提供先の顧客情報に基づいて、所定の顧客識別キー情報により管理できる顧客管理情報を生成し、生成した前記顧客管理情報を所定の前記記憶部に格納するメーカ顧客管理部と、
前記電子クーポン登録情報の電子クーポン情報およびクーポン登録管理情報に基づいて、所定のクーポン検索キー情報により管理できるクーポン登録管理情報を生成し、生成した前記クーポン登録管理情報を所定の前記記憶部に格納するクーポン登録管理情報生成部と
を備えた、請求項３または４に記載の電子クーポン仲介・コンピュータ・システム。
【請求項６】
前記電子クーポン登録情報の電子クーポン情報およびクーポン登録管理情報と、予め設定してある所定のフォーマットとに基づいて、前記クーポンの画像情報であるクーポン画像情報を生成し、または、前記登録電子クーポン情報の前記画像情報を編集した前記クーポン画像情報を生成するクーポン画像情報生成部を更に備えた、請求項５に記載の電子クーポン仲介・コンピュータ・システム。
【請求項７】
前記クーポン検索キー情報が、回収された前記クーポンに基づいて値引きされる商品名称、前記商品の商品分類名称および／または前記顧客識別キー情報であることを特徴とする、請求項５または６に記載の電子クーポン仲介・コンピュータ・システム。
【請求項８】
前記店舗受付情報管理部は、取得した前記電子クーポン利用情報の利用先の顧客情報に基づいて、所定の顧客識別キー情報により管理できる顧客管理情報を生成し、生成した前記顧客管理情報を所定の前記記憶部に格納する店舗顧客管理部と、
利用できる１個または複数個の前記クーポンの前記電子クーポン登録情報の中から所定の表示条件情報に基づいて、前記表示条件情報に適合する前記電子クーポン登録情報を検索するクーポン情報検索部と、
前記クーポン情報検索部によって検索された、前記表示条件情報に適合した前記電子クーポン登録情報に基づいてクーポン一覧表示情報を生成するクーポン表示情報生成部と、
前記電子クーポン利用情報に基づいて、前記指定クーポンの利用を許可するか否かを検証するクーポン利用契約検証部と、
前記クーポン利用契約検証部により検証した前記電子クーポン利用情報を所定のフォーマットに基づいて編集し、所定の前記記憶部に格納するクーポン利用情報生成部と、
所定の前記記憶部に格納されている前記電子クーポン利用情報に基づいて前記指定クーポンの前記電子クーポン情報を検索し、所定のファーマットに基づいてダウンロード情報を生成し、作成した前記ダウンロード情報を格納するダウンロード情報生成部と
を備えた、請求項３または４に記載の電子クーポン仲介・コンピュータ・システム。
【請求項９】
前記決済情報管理部は、前記電子クーポン利用情報、前記発行クーポン情報および前記回収クーポン情報に基づいて、前記回収クーポン情報が適正な情報であるか否かを検証するクーポン情報検証部と、
前記クーポン情報検証部によって検証された前記回収クーポン情報および前記電子クーポン利用情報に基づいて、回収クーポンによる値引き補てん金額を算出し、前記店舗ＰＯＳ・コンピュータ・システムより要求された請求情報を検証する補てん金額算出部と、
前記補てん金額算出部によって算出した前記回収クーポンによる値引き補てん金額の前記電子クーポン利用情報の利用先への支払い手続きを、前記電子クーポン利用情報に含まれている所定の決済方法に基づいて実行し、前記回収クーポンによる値引き補てん金額と前記クーポン管理情報に基づいた登録利用料とを合計した利用請求金額の前記電子クーポン登録情報の提供先への請求手続きを、前記電子クーポン登録情報に含まれている所定の決済方法に基づいて実行する決済部とを備えた、請求項３または４に記載の電子クーポン仲介・コンピュータ・システム。
【請求項１０】
所望のクーポンの電子クーポン情報およびクーポン利用契約情報を有する電子クーポン利用情報を取得するクーポン情報取得部と、
取得した前記電子クーポン利用情報に基づいて、前記クーポンを利用するためのクーポンサービス管理情報を生成し、所定の記憶部に格納するクーポン情報管理部と、
購入商品の精算処理における前記クーポンの発行に伴う発行クーポン情報の管理および前記クーポンの回収に伴う回収クーポン情報を管理を実行するクーポン利用状況管理部と
前記購入商品の商品管理情報に基づいて精算処理を実行し、精算処理した結果である精算結果情報を所定の前記記憶部に格納する精算管理部と、
前記回収クーポン情報および前記購入商品の精算結果情報に基づいて、値引き補てん金額を算出し、算出した前記値引き補てん金額に基づいて、電子クーポン仲介・コンピュータ・システムへの請求情報であるクーポン精算送信情報を生成するクーポン精算送信情報生成部と、
前記クーポン精算送信情報生成部により生成した前記クーポン精算送信情報を電子クーポン仲介・コンピュータ・システムへ送信するクーポン精算送信情報送信部と
を有する店舗サーバシステムと、
回収した前記クーポンのクーポン情報を取得する回収クーポン情報取得部と、
回収クーポン情報取得部により取得された前記クーポン情報が適正な情報であるか否かを検証する回収クーポン検証部と、
前記回収クーポン検証部により検証した回収した前記クーポンの前記クーポン情報および前記購入商品の商品情報を前記店舗サーバシステムへ送信し、前記店舗サーバシステムによって精算処理された前記購入商品の精算結果処理を受信する購入商品精算部と、
購入商品精算部により精算処理された前記購入商品の商品情報、商品購入者の顧客情報および／または曜日に基づいて、前記店舗サーバシステムによってクーポンを発行するためのクーポン発行条件に適合するか否かを判定された判定結果を受信するクーポン発行条件判定部と
を有する１個または複数個の店舗ＰＯＳ端末システムと
を備えた店舗ＰＯＳ・コンピュータ・システム。
【請求項１１】
前記店舗サーバシステムが、更に前記電子クーポン情報に基づいて前記クーポンの前記店舗ＰＯＳ端末システムに共通する印刷共通部を印刷するためのクーポン共通印刷情報を生成するクーポン共通印刷情報生成部を有し、
前記店舗ＰＯＳ端末システムが、更に前記店舗サーバシステムより取得した前記クーポン共通印刷情報に基づいて、前記クーポンを印刷するための印刷装置へのクーポン印刷送信情報を生成し、印刷装置へ送信するクーポン印刷制御部を有することを特徴とする請求項１０に記載の店舗ＰＯＳ・コンピュータ・システム。
【請求項１２】
ネットワークを介して相互に情報の受信および送信が可能である、取得した所望のクーポンの電子クーポン情報およびクーポン利用契約情報を有する電子クーポン利用情報に基づいて、前記クーポンの発行管理および回収管理を実行し、回収した前記クーポンの前記電子クーポン情報に基づいて諸品の精算管理を実行する１個または複数個の店舗ＰＯＳ・コンピュータ・システムと、所定の登録情報に基づいて１個または複数個のクーポンの電子クーポン情報およびクーポン登録管理情報を有する電子クーポン登録情報を取得し、取得した１個または複数個の前記電子クーポン登録情報の電子クーポン情報の中より所定の前記店舗ＰＯＳ・コンピュータ・システムにより指定された所望の前記クーポンの電子クーポン情報を前記店舗ＰＯＳ・コンピュータ・システムへ提供する電子クーポン仲介・コンピュータ・システムとを備えた電子クーポン管理システム、または、前記所定の登録情報に基づいて提供される１個または複数個の前記クーポンの電子クーポン登録情報を、ネットワークを介して前記電子クーポン仲介・コンピュータ・システムへ提供するメーカ・コンピュータ・システムを更に備えた電子クーポン管理システムの前記電子クーポン仲介・コンピュータ・システムにおいて、以下の工程を備えた電子クーポン管理方法。
（ａ）所定の登録情報に基づいて提供される１個または複数個のクーポンの電子クーポン情報およびクーポン登録管理情報を有する電子クーポン登録情報を取得するメーカ受付工程と、
（ｂ）前記メーカ受付工程により取得した前記電子クーポン登録情報を検証し、検証した前記登録電子クーポン登録情報を所定の記憶部へ格納するメーカ受付情報管理工程と、
（ｃ）店舗ＰＯＳ・コンピュータ・システムより、１個または複数個の前記クーポンの中から指定された指定クーポンの利用申し込みするための電子クーポン利用情報を受信し、受信した前記電子クーポン利用情報に基づいて生成された前記指定クーポンの電子クーポン情報を有するダウンロード情報を前記店舗ＰＯＳ・コンピュータ・システムへ送信し、送信した前記ダウンロード情報に基づいて発行された前記指定クーポンの発行クーポン情報、回収された前記指定クーポンの回収クーポン情報を受信する店舗受付工程と、
（ｄ）前記店舗受付工程より受信した前記電子クーポン利用情報、前記発行クーポン情報および前記回収クーポン情報を検証し、検証した前記電子クーポン利用情報、前記発行クーポン情報および前記回収クーポン情報を所定の記憶部へ格納する店舗受付情報管理工程。
【請求項１３】
（ｅ）前記店舗ＰＯＳ・コンピュータ・システムより指定された前記指定クーポンの値引き補てん金額の請求情報を、前記電子クーポン利用情報、前記発行クーポン情報および前記回収クーポン情報に基づいて検証し、前記電子クーポン登録情報の提供先および、前記電子クーポン利用情報の利用先への決済を実行する決済情報管理工程を更に備えた、請求項１２に記載の電子クーポン管理方法。
【請求項１４】
前記メーカ受付情報管理工程は、以下の工程を備えた請求項１２または１３に記載の電子クーポン管理方法。
（ｂ１）取得した前記電子クーポン登録情報の提供先の顧客情報に基づいて、所定の顧客識別キー情報により管理できる顧客管理情報を生成し、生成した前記顧客管理情報を所定の前記記憶部に格納するメーカ顧客管理工程と、
（ｂ２）前記電子クーポン登録情報の電子クーポン情報およびクーポン登録管理情報に基づいて、所定のクーポン検索キー情報により管理できるクーポン登録管理情報を生成し、生成した前記クーポン登録管理情報を所定の前記記憶部に格納するクーポン登録管理情報生成工程。
【請求項１５】
（ｂ３）前記電子クーポン登録情報の電子クーポン情報およびクーポン登録管理情報と、予め設定してある所定のフォーマットとに基づいて、前記クーポンの画像情報であるクーポン画像情報を生成し、または、前記登録電子クーポン情報の前記画像情報を編集した前記クーポン画像情報を生成するクーポン画像情報生成工程を更に備えた、請求項１４に記載の電子クーポン管理方法。
【請求項１６】
前記クーポン検索キー情報が、回収された前記クーポンに基づいて値引きされる商品名称、前記商品の商品分類名称および／または前記顧客識別キー情報であることを特徴とする、請求項１４または１５に記載の電子クーポン管理方法。
【請求項１７】
前記店舗受付情報管理工程は、以下の工程を備えた請求項１２または１３に記載の電子クーポン管理方法。
（ｄ１）取得した前記電子クーポン利用情報の利用先の顧客情報に基づいて、所定の顧客識別キー情報により管理できる顧客管理情報を生成し、生成した前記顧客管理情報を所定の前記記憶部に格納する店舗顧客管理工程と、
（ｄ２）利用できる１個または複数個の前記クーポンの前記電子クーポン登録情報の中から所定の表示条件情報に基づいて、前記表示条件情報に適合する前記電子クーポン登録情報を検索するクーポン情報検索工程と、
（ｄ３）前記クーポン情報検索工程によって検索された、前記表示条件情報に適合した前記電子クーポン登録情報に基づいてクーポン一覧表示情報を生成するクーポン表示情報生成工程と、
（ｄ４）前記電子クーポン利用情報に基づいて、前記指定クーポンの利用を許可するか否かを検証するクーポン利用契約検証工程と、
（ｄ５）前記クーポン利用契約検証工程により検証した前記電子クーポン利用情報を所定のフォーマットに基づいて編集し、所定の前記記憶部に格納するクーポン利用情報生成工程と、
（ｄ６）所定の前記記憶部に格納されている前記電子クーポン利用情報に基づいて前記指定クーポンの前記電子クーポン情報を検索し、所定のファーマットに基づいてダウンロード情報を生成し、作成した前記ダウンロード情報を格納するダウンロード情報生成工程。
【請求項１８】
前記決済情報管理工程は、以下の工程を備えた請求項１２または１３に記載の電子クーポン管理方法。
（ｅ１）前記電子クーポン利用情報、前記発行クーポン情報および前記回収クーポン情報に基づいて、前記回収クーポン情報が適正な情報であるか否かを検証するクーポン情報検証工程と、
（ｅ２）前記クーポン情報検証工程によって検証された前記回収クーポン情報および前記電子クーポン利用情報に基づいて、回収クーポンによる値引き補てん金額を算出し、前記店舗ＰＯＳ・コンピュータ・システムより要求された請求情報を検証する補てん金額算出工程と、
（ｅ３）前記補てん金額算出工程によって算出した前記回収クーポンによる値引き補てん金額の前記電子クーポン利用情報の利用先への支払い手続きを、前記電子クーポン利用情報に含まれている所定の決済方法に基づいて実行し、前記回収クーポンによる値引き補てん金額と前記クーポン管理情報に基づいた登録利用料とを合計した利用請求金額の前記電子クーポン登録情報の提供先への請求手続きを、前記電子クーポン登録情報に含まれている所定の決済方法に基づいて実行する決済工程。
【請求項１９】
ネットワークを介して相互に情報の受信および送信が可能である、取得した所望のクーポンの電子クーポン情報およびクーポン利用契約情報を有する電子クーポン利用情報に基づいて、前記クーポンの発行管理および回収管理を実行し、回収した前記クーポンの前記電子クーポン情報に基づいて諸品の精算管理を実行する１個または複数個の店舗ＰＯＳ・コンピュータ・システムと、所定の登録情報に基づいて１個または複数個のクーポンの電子クーポン情報およびクーポン登録管理情報を有する電子クーポン登録情報を取得し、取得した１個または複数個の前記電子クーポン登録情報の電子クーポン情報の中より所定の前記店舗ＰＯＳ・コンピュータ・システムにより指定された所望の前記クーポンの電子クーポン情報を前記店舗ＰＯＳ・コンピュータ・システムへ提供する電子クーポン仲介・コンピュータ・システムとを備えた電子クーポン管理システム、または、前記所定の登録情報に基づいて提供される１個または複数個の前記クーポンの電子クーポン登録情報を、ネットワークを介して前記電子クーポン仲介・コンピュータ・システムへ提供するメーカ・コンピュータ・システムを更に備えた電子クーポン管理システムの前記店舗ＰＯＳ・コンピュータ・システムにおいて、以下の工程を備えた電子クーポン管理方法。
（ａ）所望のクーポンの電子クーポン情報およびクーポン利用契約情報を有する電子クーポン利用情報を取得するクーポン情報取得工程と、
（ｂ）取得した前記電子クーポン利用情報に基づいて、前記クーポンを利用するためのクーポンサービス管理情報を生成し、所定の記憶部に格納するクーポン情報管理工程と、
（ｃ）入商品の精算処理における前記クーポンの発行に伴う発行クーポン情報の管理および前記クーポンの回収に伴う回収クーポン情報を管理を実行するクーポン利用状況管理工程と
（ｄ）回収した前記クーポンのクーポン情報を取得する回収クーポン情報取得工程と、
（ｅ）回収クーポン情報取得工程により取得された前記クーポン情報が適正な情報であるか否かを検証する回収クーポン検証工程と、
（ｆ）前記購入商品の商品管理情報に基づいて精算処理を実行し、精算処理した結果である精算結果情報を所定の前記記憶部に格納する精算管理工程と、
（ｇ）前記回収クーポン情報および前記購入商品の精算結果情報に基づいて、値引き補てん金額を算出し、算出した前記値引き補てん金額に基づいて、電子クーポン仲介・コンピュータ・システムへの請求情報であるクーポン精算送信情報を（ｈ）生成するクーポン精算送信情報生成工程と、
前記クーポン精算送信情報生成工程により生成した前記クーポン精算送信情報を電子クーポン仲介・コンピュータ・システムへ送信するクーポン精算送信情報送信工程。
【請求項２０】
（ｉ）更に前記電子クーポン情報に基づいて前記クーポンを印刷するための印刷装置へのクーポン印刷送信情報を生成し、印刷装置へ送信するクーポン印刷制御工程を有することを特徴とする請求項１９に記載の電子クーポン管理方法。
【請求項２１】
請求項１２から２０のいずれか１項に記載の電子クーポン管理方法のプログラムを記録した情報記録媒体。
【請求項２２】
前記情報記録媒体は、コンパクト・ディスク、フレキシブル・ディスク、ハード・ディスク、光磁気ディスク、ディジタル・バーサタイル・ディスク、磁気テープ、もしくはメモリ・カードであることを特徴とする、請求項２１に記載のプログラムを記録した情報記録媒体。
【発明の詳細な説明】
【０００１】
【発明の属する技術分野】
本発明は、電子クーポン管理システム、電子クーポン仲介・コンピュータ・システム、店舗ＰＯＳ・コンピュータ・システム、電子クーポン管理方法および情報記録媒体に関する。特に、ネットワークを介して相互に情報の受信および送信が可能である、取得した所望のクーポンの電子クーポン利用情報に基づいて、クーポンの発行管理および回収管理を実行し、回収した電子クーポン情報に基づいて購入商品の精算管理を実行する店舗ＰＯＳ・コンピュータ・システムと、所定の登録情報に基づいて１個または複数個の電子クーポン登録情報を取得し、店舗ＰＯＳ・コンピュータ・システムにより指定されたクーポンの電子クーポン情報を提供する電子クーポン仲介・コンピュータ・システムとを備えた電子クーポン管理システム、電子クーポン仲介・コンピュータ・システム、店舗ＰＯＳ・コンピュータ・システム、電子クーポン管理方法および情報記録媒体に関する。
【０００２】
【従来の技術】
ある特定の商品（例えば、新商品）の販売促進のために、商品の値引きを印刷したクーポンを商品のメーカ等が作成し、メーカから商品を販売する販売店等へ配布し、配布されたクーポンを販売店が顧客に発行している。また、販売店が、独自にクーポンを作成し、顧客に発行していることもある。このクーポンのメーカから販売店への配布方法は、メーカの営業マンが、直接販売店へクーポンを配りに出向いたり、郵便、宅配便等を利用したりしていた。また、クーポンの作成を独自にできない場合は特定のクーポン作成業者に依頼して、作成してもらっていた。
【０００３】
【発明が解決しようとする課題】
しかしながら、従来のクーポンのメーカから販売店への配布方法は、上述したように、メーカの営業マンが、直接販売店へクーポンを配りに出向いたり、郵便、宅配便等を利用したりしなければならないことから、クーポンの配布作業にかかるコストが大きくなるという問題点があった。
【０００４】
また、クーポンはメーカより販売店へ配布されることから、メーカの都合による商品の販売促進が優先され、販売店の都合による商品の販売促進ができないという問題点があった。
【０００５】
また、販売店において商品の販売促進を行なう場合、販売店が独自にクーポンの作成作業を行なうことから、クーポン作成作業に多くの時間を費やす結果になったり、大きな作業コストを要する結果になったりという問題点もあった。
【０００６】
従って、本発明は、以上のような問題点を解決するためになされたもので、ネットワークを介して相互に情報の受信および送信が可能である、取得した所望のクーポンの電子クーポン利用情報に基づいて、クーポンの発行管理および回収管理を実行し、回収した電子クーポン情報に基づいて購入商品の精算管理を実行する店舗ＰＯＳ・コンピュータ・システムと、所定の登録情報に基づいて１個または複数個の電子クーポン登録情報を取得し、店舗ＰＯＳ・コンピュータ・システムにより指定されたクーポンの電子クーポン情報を提供する電子クーポン仲介・コンピュータ・システムとを備えた電子クーポン管理システム、電子クーポン仲介・コンピュータ・システム、店舗ＰＯＳ・コンピュータ・システム、電子クーポン管理方法および情報記録媒体を提供することを目的とする。
【０００７】
【課題を解決するための手段】
本発明者は、上述した従来の問題点を解決すべく研究を重ねた。その結果、クーポンの画像情報、精算管理情報等を電子化した電子クーポン情報として、メーカより電子クーポン情報を登録してもらい、登録した電子クーポン情報をメニュー情報としてネットワーク上に公開し、販売店が希望する電子クーポン情報をネットワークを介して、販売店の管理するコンピュータ・システムへ送信することにより、クーポンの配布作業を削減できることが判明した。
【０００８】
上記研究結果に基づき、以下の発明を提供する。
【０００９】
本発明の、電子クーポン管理システムの１つの態様は、ネットワークを介して相互に情報の受信および送信が可能である、取得した所望のクーポンの電子クーポン情報およびクーポン利用契約情報を有する電子クーポン利用情報に基づいて、クーポンの発行管理および回収管理を実行し、回収したクーポンの電子クーポン情報に基づいて購入商品の精算管理を実行する１個または複数個の店舗ＰＯＳ・コンピュータ・システムと、所定の登録情報に基づいて１個または複数個のクーポンの電子クーポン情報およびクーポン登録管理情報を有する電子クーポン登録情報を取得し、取得した１個または複数個の電子クーポン登録情報の電子クーポン情報の中より所定の店舗ＰＯＳ・コンピュータ・システムにより指定された所望のクーポンの電子クーポン情報を店舗ＰＯＳ・コンピュータ・システムへ提供する電子クーポン仲介・コンピュータ・システムと、を備えた電子クーポン管理システムである。
【００１０】
本発明の、電子クーポン管理システムの別の態様は、所定の登録情報に基づいて提供される１個または複数個のクーポンの電子クーポン登録情報を、ネットワークを介して電子クーポン仲介・コンピュータ・システムへ提供するメーカ・コンピュータ・システムを更に備えた電子クーポン管理システムである。
【００１１】
本発明の、電子クーポン仲介・コンピュータ・システムの１つの態様は、所定の登録情報に基づいて提供される１個または複数個のクーポンの電子クーポン情報およびクーポン登録管理情報を有する電子クーポン登録情報を取得するメーカ受付部と、メーカ受付部により取得した電子クーポン登録情報を検証し、検証した登録電子クーポン登録情報を所定の記憶部へ格納するメーカ受付情報管理部と、店舗ＰＯＳ・コンピュータ・システムより、１個または複数個のクーポンの中から指定された指定クーポンの利用申し込みするための電子クーポン利用情報を受信し、受信した電子クーポン利用情報に基づいて生成された指定クーポンの電子クーポン情報を有するダウンロード情報を店舗ＰＯＳ・コンピュータ・システムへ送信し、送信したダウンロード情報に基づいて発行された指定クーポンの発行クーポン情報、回収された指定クーポンの回収クーポン情報を受信する店舗受付部と、店舗受付部より受信した電子クーポン利用情報、発行クーポン情報および回収クーポン情報を検証し、検証した電子クーポン利用情報、発行クーポン情報および回収クーポン情報を所定の記憶部へ格納する店舗受付情報管理部とを備えた電子クーポン仲介・コンピュータ・システムである。
【００１２】
本発明の、電子クーポン仲介・コンピュータ・システムの別の態様は、店舗ＰＯＳ・コンピュータ・システムより指定された指定クーポンの値引き補てん金額の請求情報を、電子クーポン利用情報、発行クーポン情報および回収クーポン情報に基づいて検証し、電子クーポン登録情報の提供先および、電子クーポン利用情報の利用先への決済を実行する決済情報管理部を更に備えた電子クーポン仲介・コンピュータ・システムである。
【００１３】
本発明の、電子クーポン仲介・コンピュータ・システムの別の態様は、上述のメーカ受付情報管理部は、取得した電子クーポン登録情報の提供先の顧客情報に基づいて、所定の顧客識別キー情報により管理できる顧客管理情報を生成し、生成した顧客管理情報を所定の記憶部に格納するメーカ顧客管理部と、電子クーポン登録情報の電子クーポン情報およびクーポン登録管理情報に基づいて、所定のクーポン検索キー情報により管理できるクーポン登録管理情報を生成し、生成したクーポン登録管理情報を所定の記憶部に格納するクーポン登録管理情報生成部とを備えた電子クーポン仲介・コンピュータ・システムである。
【００１４】
本発明の、電子クーポン仲介・コンピュータ・システムの別の態様は、電子クーポン登録情報の電子クーポン情報およびクーポン登録管理情報と、予め設定してある所定のフォーマットとに基づいて、クーポンの画像情報であるクーポン画像情報を生成し、または、登録電子クーポン情報の画像情報を編集したクーポン画像情報を生成するクーポン画像情報生成部を更に備えた電子クーポン仲介・コンピュータ・システムである。
【００１５】
本発明の、電子クーポン仲介・コンピュータ・システムの別の態様は、上述のクーポン検索キー情報が、回収されたクーポンに基づいて値引きされる商品名称、商品の商品分類名称および／または顧客識別キー情報であることを特徴とする電子クーポン仲介・コンピュータ・システムである。
【００１６】
本発明の、電子クーポン仲介・コンピュータ・システムの別の態様は、上述の店舗受付情報管理部は、取得した電子クーポン利用情報の利用先の顧客情報に基づいて、所定の顧客識別キー情報により管理できる顧客管理情報を生成し、生成した顧客管理情報を所定の記憶部に格納する店舗顧客管理部と、利用できる１個または複数個のクーポンの電子クーポン登録情報の中から所定の表示条件情報に基づいて、表示条件情報に適合する電子クーポン登録情報を検索するクーポン情報検索部と、クーポン情報検索部によって検索された、表示条件情報に適合した電子クーポン登録情報に基づいてクーポン一覧表示情報を生成するクーポン表示情報生成部と、電子クーポン利用情報に基づいて、指定クーポンの利用を許可するか否かを検証するクーポン利用契約検証部と、クーポン利用契約検証部により検証した電子クーポン利用情報を所定のフォーマットに基づいて編集し、所定の記憶部に格納するクーポン利用情報生成部と、所定の記憶部に格納されている電子クーポン利用情報に基づいて指定クーポンの電子クーポン情報を検索し、所定のファーマットに基づいてダウンロード情報を生成し、作成したダウンロード情報を格納するダウンロード情報生成部とを備えた電子クーポン仲介・コンピュータ・システムである。
【００１７】
本発明の、電子クーポン仲介・コンピュータ・システムの別の態様は、上述の決済情報管理部は、電子クーポン利用情報、発行クーポン情報および回収クーポン情報に基づいて、回収クーポン情報が適正な情報であるか否かを検証するクーポン情報検証部と、クーポン情報検証部によって検証された回収クーポン情報および電子クーポン利用情報に基づいて、回収クーポンによる値引き補てん金額を算出し、店舗ＰＯＳ・コンピュータ・システムより要求された請求情報を検証する補てん金額算出部と、補てん金額算出部によって算出した回収クーポンによる値引き補てん金額の電子クーポン利用情報の利用先への支払い手続きを、電子クーポン利用情報に含まれている所定の決済方法に基づいて実行し、回収クーポンによる値引き補てん金額とクーポン管理情報に基づいた登録利用料とを合計した利用請求金額の電子クーポン登録情報の提供先への請求手続きを、電子クーポン登録情報に含まれている所定の決済方法に基づいて実行する決済部とを備えた電子クーポン仲介・コンピュータ・システムである。
【００１８】
本発明の、店舗ＰＯＳ・コンピュータ・システムの１つの態様は、所望のクーポンの電子クーポン情報およびクーポン利用契約情報を有する電子クーポン利用情報を取得するクーポン情報取得部と、取得した電子クーポン利用情報に基づいて、クーポンを利用するためのクーポンサービス管理情報を生成し、所定の記憶部に格納するクーポン情報管理部と、購入商品の精算処理におけるクーポンの発行に伴う発行クーポン情報の管理およびクーポンの回収に伴う回収クーポン情報の管理を実行するクーポン利用状況管理部と、購入商品の商品管理情報に基づいて精算処理を実行し、精算処理した結果である精算結果情報を所定の記憶部に格納する精算管理部と、回収クーポン情報および購入商品の精算結果情報に基づいて、値引き補てん金額を算出し、算出した値引き補てん金額に基づいて、電子クーポン仲介・コンピュータ・システムへの請求情報であるクーポン精算送信情報を生成するクーポン精算送信情報生成部と、クーポン精算送信情報生成部により生成したクーポン精算送信情報を電子クーポン仲介・コンピュータ・システムへ送信するクーポン精算送信情報送信部とを有する店舗サーバシステムと、
回収したクーポンのクーポン情報を取得する回収クーポン情報取得部と、回収クーポン情報取得部により取得されたクーポン情報が適正な情報であるか否かを検証する回収クーポン検証部と、回収クーポン検証部により検証した回収したクーポンのクーポン情報および購入商品の商品情報を店舗サーバシステムへ送信し、店舗サーバシステムによって精算処理された購入商品の精算結果処理を受信する購入商品精算部と、購入商品精算部により精算処理された購入商品の商品情報、商品購入者の顧客情報および／または曜日に基づいて、店舗サーバシステムによってクーポンを発行するためのクーポン発行条件に適合するか否かを判定された判定結果を受信するクーポン発行条件判定部とを有する１個または複数個の店舗ＰＯＳ端末システムとを備えた店舗ＰＯＳ・コンピュータ・システムである。
【００１９】
本発明の、店舗ＰＯＳ・コンピュータ・システムの別の態様は、店舗サーバシステムが、更に電子クーポン情報に基づいてクーポンの店舗ＰＯＳ端末システムに共通する印刷共通部を印刷するためのクーポン共通印刷情報を生成するクーポン共通印刷情報生成部を有し、店舗ＰＯＳ端末システムが、更に店舗サーバシステムより取得したクーポン共通印刷情報に基づいて、クーポンを印刷するための印刷装置へのクーポン印刷送信情報を生成し、印刷装置へ送信するクーポン印刷制御部を有することを特徴とする店舗ＰＯＳ・コンピュータ・システムである。
【００２０】
本発明の、電子クーポン管理方法の１つの態様は、ネットワークを介して相互に情報の受信および送信が可能である、取得した所望のクーポンの電子クーポン情報およびクーポン利用契約情報を有する電子クーポン利用情報に基づいて、クーポンの発行管理および回収管理を実行し、回収したクーポンの電子クーポン情報に基づいて諸品の精算管理を実行する１個または複数個の店舗ＰＯＳ・コンピュータ・システムと、所定の登録情報に基づいて１個または複数個のクーポンの電子クーポン情報およびクーポン登録管理情報を有する電子クーポン登録情報を取得し、取得した１個または複数個の電子クーポン登録情報の電子クーポン情報の中より所定の店舗ＰＯＳ・コンピュータ・システムにより指定された所望のクーポンの電子クーポン情報を店舗ＰＯＳ・コンピュータ・システムへ提供する電子クーポン仲介・コンピュータ・システムとを備えた電子クーポン管理システム、または、所定の登録情報に基づいて提供される１個または複数個のクーポンの電子クーポン登録情報を、ネットワークを介して電子クーポン仲介・コンピュータ・システムへ提供するメーカ・コンピュータ・システムを更に備えた電子クーポン管理システムの電子クーポン仲介・コンピュータ・システムにおいて、（ａ）所定の登録情報に基づいて提供される１個または複数個のクーポンの電子クーポン情報およびクーポン登録管理情報を有する電子クーポン登録情報を取得するメーカ受付工程と、（ｂ）メーカ受付工程により取得した電子クーポン登録情報を検証し、検証した登録電子クーポン登録情報を所定の記憶部へ格納するメーカ受付情報管理工程と、（ｃ）店舗ＰＯＳ・コンピュータ・システムより、１個または複数個のクーポンの中から指定された指定クーポンの利用申し込みするための電子クーポン利用情報を受信し、受信した電子クーポン利用情報に基づいて生成された指定クーポンの電子クーポン情報を有するダウンロード情報を店舗ＰＯＳ・コンピュータ・システムへ送信し、送信したダウンロード情報に基づいて発行された指定クーポンの発行クーポン情報、回収された指定クーポンの回収クーポン情報を受信する店舗受付工程と、（ｄ）店舗受付工程より受信した電子クーポン利用情報、発行クーポン情報および回収クーポン情報を検証し、検証した電子クーポン利用情報、発行クーポン情報および回収クーポン情報を所定の記憶部へ格納する店舗受付情報管理工程とを備えた電子クーポン管理方法である。
【００２１】
本発明の、電子クーポン管理方法の別の態様は、（ｅ）店舗ＰＯＳ・コンピュータ・システムより指定された指定クーポンの値引き補てん金額の請求情報を、電子クーポン利用情報、発行クーポン情報および回収クーポン情報に基づいて検証し、電子クーポン登録情報の提供先および、電子クーポン利用情報の利用先への決済を実行する決済情報管理工程を更に備えた電子クーポン管理方法である。
【００２２】
本発明の、電子クーポン管理方の別の態様は、上述のメーカ受付情報管理工程は、（ｂ１）取得した電子クーポン登録情報の提供先の顧客情報に基づいて、所定の顧客識別キー情報により管理できる顧客管理情報を生成し、生成した顧客管理情報を所定の記憶部に格納するメーカ顧客管理工程と、（ｂ２）電子クーポン登録情報の電子クーポン情報およびクーポン登録管理情報に基づいて、所定のクーポン検索キー情報により管理できるクーポン登録管理情報を生成し、生成したクーポン登録管理情報を所定の記憶部に格納するクーポン登録管理情報生成工程とを備えた電子クーポン管理方法である。
【００２３】
本発明の、電子クーポン管理方法の別の態様は、（ｂ３）電子クーポン登録情報の電子クーポン情報およびクーポン登録管理情報と、予め設定してある所定のフォーマットとに基づいて、クーポンの画像情報であるクーポン画像情報を生成し、または、登録電子クーポン情報の画像情報を編集したクーポン画像情報を生成するクーポン画像情報生成工程を更に備えた電子クーポン管理方法である。
【００２４】
本発明の、電子クーポン管理方の別の態様は、上述のクーポン検索キー情報が、回収されたクーポンに基づいて値引きされる商品名称、商品の商品分類名称および／または顧客識別キー情報であることを特徴とする電子クーポン管理方法である。
【００２５】
本発明の、電子クーポン管理方法の別の態様は、上述の店舗受付情報管理工程は、（ｄ１）取得した電子クーポン利用情報の利用先の顧客情報に基づいて、所定の顧客識別キー情報により管理できる顧客管理情報を生成し、生成した顧客管理情報を所定の記憶部に格納する店舗顧客管理工程と、（ｄ２）利用できる１個または複数個のクーポンの電子クーポン登録情報の中から所定の表示条件情報に基づいて、表示条件情報に適合する電子クーポン登録情報を検索するクーポン情報検索工程と、（ｄ３）クーポン情報検索工程によって検索された、表示条件情報に適合した電子クーポン登録情報に基づいてクーポン一覧表示情報を生成するクーポン表示情報生成工程と、（ｄ４）電子クーポン利用情報に基づいて、指定クーポンの利用を許可するか否かを検証するクーポン利用契約検証工程と、（ｄ５）クーポン利用契約検証工程により検証した電子クーポン利用情報を所定のフォーマットに基づいて編集し、所定の記憶部に格納するクーポン利用情報生成工程と、（ｄ６）所定の記憶部に格納されている電子クーポン利用情報に基づいて指定クーポンの電子クーポン情報を検索し、所定のファーマットに基づいてダウンロード情報を生成し、作成したダウンロード情報を格納するダウンロード情報生成工程とを備えた電子クーポン管理方法である。
【００２６】
本発明の、電子クーポン管理方法の別の態様は、上述の決済情報管理工程は、（ｅ１）電子クーポン利用情報、発行クーポン情報および回収クーポン情報に基づいて、回収クーポン情報が適正な情報であるか否かを検証するクーポン情報検証工程と、（ｅ２）クーポン情報検証工程によって検証された回収クーポン情報および電子クーポン利用情報に基づいて、回収クーポンによる値引き補てん金額を算出し、店舗ＰＯＳ・コンピュータ・システムより要求された請求情報を検証する補てん金額算出工程と、（ｅ３）補てん金額算出工程によって算出した回収クーポンによる値引き補てん金額の電子クーポン利用情報の利用先への支払い手続きを、電子クーポン利用情報に含まれている所定の決済方法に基づいて実行し、回収クーポンによる値引き補てん金額とクーポン管理情報に基づいた登録利用料とを合計した利用請求金額の電子クーポン登録情報の提供先への請求手続きを、電子クーポン登録情報に含まれている所定の決済方法に基づいて実行する決済工程とを備えた電子クーポン管理方法である。
【００２７】
本発明の、電子クーポン管理方法の別の態様は、ネットワークを介して相互に情報の受信および送信が可能である、取得した所望のクーポンの電子クーポン情報およびクーポン利用契約情報を有する電子クーポン利用情報に基づいて、クーポンの発行管理および回収管理を実行し、回収したクーポンの電子クーポン情報に基づいて諸品の精算管理を実行する１個または複数個の店舗ＰＯＳ・コンピュータ・システムと、所定の登録情報に基づいて１個または複数個のクーポンの電子クーポン情報およびクーポン登録管理情報を有する電子クーポン登録情報を取得し、取得した１個または複数個の電子クーポン登録情報の電子クーポン情報の中より所定の店舗ＰＯＳ・コンピュータ・システムにより指定された所望のクーポンの電子クーポン情報を店舗ＰＯＳ・コンピュータ・システムへ提供する電子クーポン仲介・コンピュータ・システムとを備えた電子クーポン管理システム、または、所定の登録情報に基づいて提供される１個または複数個のクーポンの電子クーポン登録情報を、ネットワークを介して電子クーポン仲介・コンピュータ・システムへ提供するメーカ・コンピュータ・システムを更に備えた電子クーポン管理システムの店舗ＰＯＳ・コンピュータ・システムにおいて、（ａ）所望のクーポンの電子クーポン情報およびクーポン利用契約情報を有する電子クーポン利用情報を取得するクーポン情報取得工程と、（ｂ）取得した電子クーポン利用情報に基づいて、クーポンを利用するためのクーポンサービス管理情報を生成し、所定の記憶部に格納するクーポン情報管理工程と、（ｃ）入商品の精算処理におけるクーポンの発行に伴う発行クーポン情報の管理およびクーポンの回収に伴う回収クーポン情報を管理を実行するクーポン利用状況管理工程と、（ｄ）回収したクーポンのクーポン情報を取得する回収クーポン情報取得工程と、（ｅ）回収クーポン情報取得工程により取得されたクーポン情報が適正な情報であるか否かを検証する回収クーポン検証工程と、（ｆ）購入商品の商品管理情報に基づいて精算処理を実行し、精算処理した結果である精算結果情報を所定の記憶部に格納する精算管理工程と、（ｇ）回収クーポン情報および購入商品の精算結果情報に基づいて、値引き補てん金額を算出し、算出した値引き補てん金額に基づいて、電子クーポン仲介・コンピュータ・システムへの請求情報であるクーポン精算送信情報を（ｈ）生成するクーポン精算送信情報生成工程と、クーポン精算送信情報生成工程により生成したクーポン精算送信情報を電子クーポン仲介・コンピュータ・システムへ送信するクーポン精算送信情報送信工程とを備えた電子クーポン管理方法である。
【００２８】
本発明の、電子クーポン管理方法の別の態様は、（ｉ）更に電子クーポン情報に基づいてクーポンを印刷するための印刷装置へのクーポン印刷送信情報を生成し、印刷装置へ送信するクーポン印刷制御工程を有することを特徴とする電子クーポン管理方法である。
【００２９】
本発明の、情報記録媒体の１つの態様は、上述の電子クーポン管理方法のプログラムを記録した情報記録媒体である。
【００３０】
本発明の、情報記録媒体の別の態様は、コンパクト・ディスク、フレキシブル・ディスク、ハード・ディスク、光磁気ディスク、ディジタル・バーサタイル・ディスク、磁気テープ、もしくはメモリ・カードであることを特徴とするプログラムを記録した情報記録媒体である。
【００３１】
【発明の実施の形態】
この発明の一実施態様を、図面を参照しながら説明する。なお、以下に説明する実施態様は説明のためのものであり、本発明の範囲を制限するものではない。従って、当業者であればこれらの各要素もしくは全要素をこれと均等なものによって置換した実施態様を採用することが可能であるが、これらの実施態様も本発明の範囲に含まれる。
【００３２】
図１は、電子クーポン管理システムの概要構成の一例を示す図である。以下、本構成図を参照して説明する。
【００３３】
クーポンの画像情報および精算管理情報を電子化した電子クーポン情報を提供する１個または複数個のメーカ・コンピュータ・システム、取得した所望の電子クーポン情報を利用したクーポンの発行および回収による商品の精算処理を実施する１個または複数個の店舗ＰＯＳ・コンピュータ・システム、および、メーカ・コンピュータ・システムより提供される電子クーポン情報をデータベース等の所定の記憶部に格納し、格納したクーポン情報の中から店舗ＰＯＳ・コンピュータ・システムの所望の電子クーポン情報を店舗ＰＯＳ・コンピュータ・システムに提供する電子クーポン仲介・コンピュータ・システムによって構成される電子クーポン管理システム１００を例に挙げて説明する。また、図１では、電子クーポン管理システム１００の店舗ＰＯＳ・コンピュータ・システムおよびメーカ・コンピュータ・システムをそれぞれ代表として１システムのみ記載している。
【００３４】
電子クーポン仲介・コンピュータ・システム（以下、「クーポン仲介システム」という）１０１は、公衆回線網、インターネット等のネットワーク１０５を介して、メーカ、クーポンを提供する団体、クーポンを提供する個人等（以下、「メーカ」という）が商品の販売促進のため、地域イベントへのサービス提供のため等に提供するクーポンの値引き金額、クーポン回収対象商品等の精算管理情報および画像情報の電子クーポン情報と、クーポン提供総枚数、クーポン利用期間等のクーポン登録管理情報とからなる電子クーポン登録情報を、メーカが管理するメーカ・コンピュータ・システム（以下、「メーカシステム」という）１０３より受信する。
【００３５】
また、クーポン仲介システム１０１は、ネットワーク１０５を介して、商品を販売する店舗、クーポンを発行する団体、クーポンを発行する個人等（以下、「店舗」という）が在庫商品の削減、販売拡大のため、地域イベントへのサービス提供のため等に利用する、メーカシステム１０３より受信したダウンロード情報の中から選択した所望の電子クーポン情報、クーポン発行枚数、クーポン値引き補てん金額の決済条件情報等のクーポン利用契約情報、顧客情報等からなる電子クーポン利用情報を、店舗が管理する店舗ＰＯＳ・コンピュータ・システム（以下、「店舗ＰＯＳシステム」という）１０２より受信し、選択した電子クーポン情報を店舗ＰＯＳシステム１０２へ送信する。更に、店舗ＰＯＳシステム１０２が取得した回収クーポンのクーポン情報に基づいて算出される商品の値引き補てん金額の店舗ＰＯＳシステム１０２への支払い手続き処理および、商品の値引き補てん金額と登録手数料とを合計した登録料金のメーカシステム１０３への請求手続き処理を管理する。
【００３６】
店舗ＰＯＳシステム１０２は、ネットワーク１０５を介して受信した電子クーポン情報に基づいて、クーポン発行のためのクーポン印刷情報を生成し、発行したクーポンに基づいて商品を値引きするためのクーポンサービス管理情報を生成し、クーポンサービス管理情報に基づいた商品の精算処理を実行する。
【００３７】
店舗ＰＯＳシステム１０２は、クーポンの発行処理、クーポンの回収処理、回収したクーポンによる購入商品の商品情報を基づいた精算処理を実行する店舗ＰＯＳ端末システム１１１および店舗ＰＯＳ端末システム１１１における精算処理に利用される商品の価格情報、クーポンによる値引きを含めた各種サービス情報、商品購入者の顧客情報等を管理する店舗サーバシステム１１０を備えている。
【００３８】
尚、クーポン仲介システム１０１と店舗ＰＯＳシステム１０２との間の通信およびクーポン仲介システム１０１とメーカシステム１０３との間の通信は、通信情報を暗号化処理等のセキュリティ処理された情報によって実行される。
【００３９】
図２は、クーポン仲介システムの本発明に関する機能ブロックの構成図を示す一例である。
【００４０】
クーポン仲介システム１０１は、メーカ受付部２０１、メーカ受付情報管理部２０２、店舗受付部２０３、店舗受付情報管理部２０４、決済情報管理部２０５および決済結果送信部２０６を備えている。
【００４１】
メーカ受付部２０１は、インターネットのホームページ等を利用して、メーカシステム１０３へ電子クーポン情報の登録申し込みに必要な登録申し込み情報を送信し、登録申し込み情報に基づいた電子クーポン登録情報をメーカシステム１０３より受信する。ここで、電子クーポン登録情報として、顧客情報、クーポンの画像情報および精算管理情報の電子クーポン情報、クーポン提供総枚数、クーポン利用期間等のクーポン登録管理情報が含まれる。また、受信した電子クーポン登録情報に基づいて生成された、クーポン値引き補てん金額の決済契約情報、登録手数料等の電子クーポン登録契約情報をメーカシステム１０３へ送信する。
【００４２】
メーカ受付情報管理部２０２は、メーカ受付部２０１により受信した電子クーポン登録情報の顧客情報の認証を実行し、顧客情報を顧客情報記憶部２１３に記憶する。また、受信した電子クーポン登録情報のクーポン登録管理情報を検証した後、クーポン登録管理情報をクーポン登録管理情報記憶部２１２に記憶し、電子クーポン登録情報の電子クーポン情報を検証した後、電子クーポン情報を電子クーポン情報記憶部２１１に記憶する。また、クーポンの画像情報を受信しない場合は、クーポンの精算管理情報と所定のフォーマットとに基づいてクーポンの画像情報を生成することもできる。
【００４３】
店舗受付部２０３は、インターネットのホームページ等を利用して、登録されている電子クーポン情報の中から選択した電子クーポン情報の利用申し込みに必要な利用申し込み情報を店舗ＰＯＳシステム１０２へ送信し、利用申し込み情報に基づいた電子クーポン利用情報を店舗ＰＯＳシステム１０２より受信する。ここで、電子クーポン利用情報として、顧客情報、クーポン発行枚数、クーポン値引き補てん金額の決済条件情報等のクーポン利用契約情報が含まれる。受信した電子クーポン利用情報に基づいて生成された電子クーポン情報のダウンロード情報を店舗ＰＯＳシステム１０２へ送信する。
【００４４】
また、店舗受付部２０３は、店舗ＰＯＳシステム１０２において管理されている発行したクーポンの発行数、クーポン発行対象商品等の発行クーポン情報、回収したクーポンの回収数、クーポン回収対象商品等の回収クーポン情報、クーポン利用契約情報に基づいて収集された各種情報、クーポン回収分の値引き補てん金の請求情報等を含むクーポン回収管理情報を、店舗ＰＯＳシステム１０２からネットワーク１０５を介して受信する。
【００４５】
店舗受付情報管理部２０４は、店舗受付部２０３により受信した電子クーポン利用情報顧客情報の認証を実行し、顧客情報を顧客情報記憶部２１３に記憶する。また、受信したクーポン利用契約情報の検証をした後、クーポン利用契約情報をクーポン利用管理情報記憶部２１４に記憶する。また、クーポン利用契約情報に基づいて所望の電子クーポン情報のダウンロード情報を生成し、ダウンロード情報記憶部２１５に記憶する。
【００４６】
また、店舗受付情報管理部２０４は、店舗受付部２０３により受け付けたクーポン回収管理情報に基づいて、回収したクーポンの正当性を検証する。更に、受信した発行クーポン情報を発行クーポン情報記憶部２１６に、回収クーポン情報を回収クーポン情報記憶部２１７に、クーポン利用契約情報に基づいて収集された各種情報、クーポン回収分の値引き補てん金の請求情報等をクーポン関連収集情報記憶部２１８に、それぞれ記憶する。
【００４７】
決済情報管理部２０５は、店舗受付情報管理部２０４により管理されたクーポン利用管理情報記憶部２１４、発行クーポン情報記憶部２１６および回収クーポン情報記憶部２１７にそれぞれ記憶されているクーポン利用契約情報、発行クーポン情報および回収クーポン情報に基づいて、店舗ＰＯＳシステム１０２からクーポン回収分の値引き補てん金の請求情報を検証し、店舗ＰＯＳシステム１０２の決済処理を実行し、クーポン登録管理情報記憶部２１２のクーポン登録管理情報に基づいて、メーカシステム１０３へ請求するための決済処理を実行する。また、決済処理した結果を決済情報記憶部２１９に記憶する。
【００４８】
決済結果送信部２０６は、決済情報管理部２０５により処理された決済情報記憶部２１９の決済情報、クーポン関連収集情報記憶部２１８のクーポン利用契約情報に基づいて収集された各種情報、発行クーポン情報記憶部２１６の発行クーポン情報、回収クーポン情報記憶部２１７の回収クーポン情報等に基づいて、メーカシステム１０３および店舗ＰＯＳシステム１０２への送信情報を生成し、生成したメーカシステム１０３および店舗ＰＯＳシステム１０２への送信情報を送信する。
【００４９】
図３は、クーポン仲介システムにおけるメーカ受付情報管理部の機能ブロックの構成図を示す一例である。
【００５０】
メーカ受付情報管理部２０２は、メーカ顧客管理部３０１、クーポン登録管理情報生成部３０２およびクーポン画像情報生成部３０３を備えている。
【００５１】
メーカ顧客管理部３０１は、メーカシステム１０３から受信した電子クーポン登録情報の顧客情報（例えば、会社名、住所、電話番号、電子メールアドレス、クレジットカード番号等）を取り出し、新規の顧客である場合は、取り出した情報に基づいて固有の顧客識別番号により管理できる顧客管理情報を生成し、顧客情報記憶部２１３へ顧客管理情報を格納する。更に、再度登録の顧客である場合は、顧客識別番号に基づいて顧客管理情報を検索することもできる。また、決済処理のためのクレジットカード番号等に基づいた認証処理を実行する。
【００５２】
クーポン登録管理情報生成部３０２は、メーカシステム１０３から受信したクーポン回収対象商品、クーポン値引き情報、登録期間、１店舗クーポン利用最大枚数、クーポン回収付属情報等の電子クーポン登録情報に基づいて、クーポン回収対象商品、クーポン回収対象商品の商品分類、顧客識別番号等により検索できる所定のフォーマットに従ったクーポン登録管理情報を生成し、クーポン登録管理情報記憶部２１２に格納する。
【００５３】
クーポン画像情報生成部３０３は、メーカシステム１０３から受信した電子クーポン情報の精算管理情報と予め設定してある規定のフォーマットとに基づいてクーポン画像情報を生成し、電子クーポン情報記憶部２１１に格納する。また、メーカシステム１０３から受信したクーポン画像情報を編集することにより、登録用のクーポン画像情報を生成することもできる。
【００５４】
図４は、クーポン仲介システムにおける店舗受付情報管理部の機能ブロックの構成図を示す一例である。
【００５５】
店舗受付情報管理部２０４は、店舗顧客管理部４０１、クーポン情報検索部４０２、クーポン表示情報生成部４０３、クーポン利用契約検証部４０４、クーポン利用情報生成部４０５およびダウンロード情報生成部４０６を備えている。
【００５６】
店舗顧客管理部４０１は、店舗ＰＯＳシステム１０２より受信した情報の中から電子クーポン利用の顧客情報（例えば、会社名、住所、電話番号、電子メールアドレス等）を取り出し、新規の顧客である場合は、取り出した情報により固有の顧客識別番号に基づいて管理できる顧客管理情報を生成し、顧客情報記憶部２１３へ顧客管理情報を格納する。また、再度の顧客である場合は、顧客識別番号に基づいて顧客管理情報を検索することもできる。更に、クーポン回収による値引き補てん金の支払い等のために支払い先の認証処理を実行する。
【００５７】
クーポン情報検索部４０２は、クーポン登録管理情報記憶部２１２に格納されているクーポン登録管理情報と電子クーポン情報記憶部２１１に格納されている電子クーポン情報とを、利用可能な電子クーポン情報を一覧表示するための表示条件に基づいて検索する。例えば、表示条件として、ビール、コーヒー等の商品分類、飲食店、文具店等のメーカ分類、利用可能地域名等がある。
【００５８】
クーポン表示情報生成部４０３は、クーポン情報検索部４０２により検索したクーポン登録管理情報および電子クーポン情報からクーポン一覧表示情報を生成する。生成された情報は、ホームページのコンテンツ情報として店舗システム１０２へ送信され、表示される。
【００５９】
クーポン利用契約検証部４０４は、店舗ＰＯＳシステム１０２から受信したクーポン利用契約情報を取り出し、店舗ＰＯＳシステム１０２の指定の電子クーポン情報を店舗ＰＯＳシステム１０２にダウンロードさせる許可を与えるか否かを判定するための検証を実行する。例えば、メーカシステム１０３から付属情報として指定されている情報を店舗ＰＯＳシステム１０２が了解するか否か、メーカシステム１０３から指定された店舗条件に店舗ＰＯＳシステム１０２を備えた店舗が適合するか否か等のクーポンを提供するメーカからの要求事項への適合を検証する。
【００６０】
また、例えば、クーポン回収対象商品の在庫情報をクーポン利用契約情報の１つの情報として受信することにより、クーポン回収対象商品と回収クーポン情報とを関連付け、店舗ＰＯＳシステム１０２におけるクーポン利用の不正を防止することが可能となるような、クーポン利用契約情報に含まれている不正防止のための情報が適正な情報であるかを検証する。また、例えば、店舗ＰＯＳシステム１０２からダウンロードを要求された電子クーポン情報のデータ形式に変換可能であるかを検証する等のクーポンを利用する店舗からの要求事項の可能性を検証する。
【００６１】
クーポン利用情報生成部４０５は、クーポン利用契約検証部４０４によって検証したクーポン利用契約情報を所定のフォーマットに基づいて、クーポン利用管理情報記憶部２１４に格納する。
【００６２】
ダウンロード情報生成部４０６は、クーポン利用契約検証部４０４によって検証したクーポン利用契約情報において指定されているクーポンの電子クーポン情報を、クーポン登録管理情報記憶部２１２のクーポン登録管理情報および電子クーポン情報記憶部２１１の電子クーポン情報から検索し、所定のファーマットに基づいてダウンロード情報を生成し、ダウンロード情報記憶部２１５に格納する。また、ここで、クーポン利用契約情報において指定された電子クーポン情報のダウンロード情報における画像情報のデータ形式が、電子クーポン情報記憶部２１１の電子クーポン情報の画像情報と異なる場合は、データ形式を変換するデータ変換機能を備えることによって、クーポン利用契約情報において指定されたデータ形式となるようなダウンロード情報を生成することもできる。
【００６３】
図５は、クーポン仲介システムにおける決済情報管理部の機能ブロックの構成図を示す一例である。
【００６４】
決済情報管理部２０５は、クーポン情報検証部５０１、補てん金額算出部５０２および決済部５０３を備えている。
【００６５】
クーポン情報検証部５０１は、クーポン利用管理情報記憶部２１４、発行クーポン情報記憶部２１６および回収クーポン情報記憶部２１７にそれぞれ格納されているクーポン利用契約情報、発行クーポン情報および回収クーポン情報を取り出し、取り出したクーポン利用契約情報、発行クーポン情報および回収クーポン情報に基づいて、回収クーポン情報が適正な情報であるか否かを検証する。例えば、発行したクーポンと回収したクーポンとを関連付けてクーポン利用の不正を防止するために、回収クーポン情報のクーポン識別番号が、既に発行されている発行クーポン情報の中に含まれているクーポン識別番号であることを検証する。また、例えば、回収したクーポンとクーポン回収対象商品とを関連付けてクーポン利用の不正を防止するために、回収クーポン情報のクーポン回収対象商品の情報が、クーポン利用契約情報のクーポン回収対象商品の在庫情報の中に含まれている情報であることを検証する。
【００６６】
補てん金額算出部５０２は、クーポン情報検証部５０１によって検証した回収クーポン情報および電子クーポン情報記憶部２１１の精算管理情報に基づいて、クーポンによるクーポン回収対象商品の値引き金額、即ち、店舗に対する値引き補てん金額を算出する。また、算出した値引き補てん金額と店舗ＰＯＳシステム１０２から受信したクーポン回収分の値引き補てん金額の請求情報とが一致しているかを検証する。
【００６７】
決済部５０３は、店舗ＰＯＳシステム１０２により指定されたクーポン利用契約情報に含まれている決済方法（例えば、決済方法として、銀行振込、小切手払い、現金払い等）に基づいて、補てん金額算出部５０２により検証した値引き補てん金額の支払い手続き処理を実行する。また、メーカシステム１０３により指定されたクーポン登録管理情報記憶部２１２のクーポン登録管理情報および電子クーポン情報記憶部２１１の精算管理情報に基づいて、補てん金額算出部５０２により検証した値引き補てん金額と手数料とを合計した請求金額を指定の決済方法（例えば、決済方法として、カード決済、銀行引き落とし等）による請求手続き処理および決済手続き処理を実行する。
【００６８】
図６は、店舗ＰＯＳシステムにおける本発明に関する店舗サーバシステムの機能ブロックの構成図を示す一例である。
【００６９】
店舗サーバシステム１１０は、クーポン情報取得部６０１、クーポン情報管理部６０２、クーポン印刷情報生成部６０３、クーポン利用状況管理部６０４、精算管理部６０５、クーポン清算送信情報生成部６０６およびクーポン清算送信情報送信部６０７を備えている。
【００７０】
クーポン情報取得部６０１は、クーポン仲介システム１０１への電子クーポン利用の申し込みを実行し、所望のクーポンの電子クーポン情報である精算管理情報および画像情報をダウンロード情報としてクーポン仲介システム１０１よりネットワーク１０５を介して受信する。また、クーポン仲介システム１０１より受信利用申し込み情報に基づいて入力した電子クーポン利用管理情報を所定のフォーマットに基づいて編集したクーポン管理情報を生成し、クーポン管理情報記憶部６１１に格納し、電子クーポン情報を利用電子クーポン情報記憶部６１２に格納する。
【００７１】
クーポン情報管理部６０２は、クーポン情報取得部６０１によって取得した電子クーポン情報の精算管理情報を利用電子クーポン情報記憶部６１２から取り出し、クーポンを発行するためのクーポン発行対象商品情報、クーポンを利用できるクーポン回収対象商品情報、クーポン利用によるクーポン回収対象商品の値引き金額情報等のクーポンを利用する場合のクーポンサービス管理情報を生成し、店舗ＰＯＳシステム１０２において実施されるサービスの管理情報が記憶されるサービス管理情報記憶部６１３に格納する。
【００７２】
クーポン印刷情報生成部６０３は、クーポン情報取得部６０１によって取得した電子クーポン情報を利用電子クーポン情報記憶部６１２より取り出し、クーポンの共通部を印刷するためのクーポン共通印刷情報を生成し、クーポン共通印刷情報記憶部６１４に格納する。例えば、クーポン画像情報に店舗名を追加したり、値引き金額を画像情報に追加したりしたクーポンの共通部を印刷するためのクーポン共通印刷情報を生成する。
【００７３】
クーポン利用状況管理部６０４は、店舗ＰＯＳシステム１０２の店舗ＰＯＳ端末システム１１１において実施される購入商品の精算処理におけるクーポンの発行に伴う発行クーポン情報の管理およびクーポンの回収に伴う回収クーポン情報を管理を実行する。
【００７４】
即ち、クーポンの発行においては、購入商品の商品情報とクーポン管理情報記憶部６１１のクーポン管理情報に基づいて、クーポンの発行条件を満たすか否かを判定し、更に、発行するクーポン情報を検索し、発行するクーポン情報を店舗ＰＯＳ端末システム１１１へ送信する。また、発行するクーポン情報とともに、クーポンの発行数、クーポン発行対象商品等の発行したクーポンに付属する各種情報である発行クーポン情報を生成し、発行クーポン情報記憶部６１６に格納する。
【００７５】
また、クーポンの回収においては、店舗ＰＯＳ端末システム１１１より受信した回収クーポンのクーポン情報と発行済みのクーポン情報とに基づいて回収クーポンの正当性を検証し、回収したクーポン情報とともに、回収したクーポンの回収数、クーポン回収対象商品等の回収したクーポンに付属する各種情報である回収クーポン情報を生成し、回収クーポン情報記憶部６１７に格納する。また、検証結果に基づいたクーポンサービス管理情報をサービス管理情報記憶部６１３より取り出し、精算情報の１つの情報として店舗ＰＯＳ端末システム１１１へ送信する。
【００７６】
精算管理部６０５は、店舗ＰＯＳ端末システム１１１において精算処理される購入商品の商品情報を店舗ＰＯＳ端末システム１１１より受信し、サービス管理情報記憶部６１３のクーポンサービス情報を含むサービス情報、商品管理情報６１８の商品価格情報等に基づいて精算処理を実行し、精算結果情報を店舗ＰＯＳ端末システム１１１に送信する。また、精算処理結果情報を精算管理情報記憶部６１５に格納する。
【００７７】
クーポン精算送信情報生成部６０６は、精算管理情報記憶部６１５に記憶されているクーポンによって値引きされた商品情報に基づいて、値引き補てん金額を算出する。また、クーポン利用契約情報に基づいて回収したクーポンに付属する各種情報を回収クーポン情報記憶部６１７から、発行したクーポンに付属する各種情報を発行クーポン情報記憶部６１６から取り出し、算出された値引き補てん金額とともにクーポン仲介システム１０１へ送信するためのクーポン精算送信情報を生成する。
【００７８】
クーポン精算送信情報送信部６０７は、クーポン精算送信情報生成部６０６によって生成されたクーポン精算送信情報を、ネットワーク１０５を介してクーポン仲介システム１０１へ送信する。
【００７９】
図７は、店舗ＰＯＳシステムにおける本発明に関する店舗ＰＯＳ端末システムの機能ブロックの構成図を示す一例である。
【００８０】
店舗ＰＯＳ端末システム１１１は、回収クーポン情報取得部７０１、回収クーポン検証部７０２、購入商品精算部７０３、クーポン発行条件判定部７０４およびクーポン印刷制御部７０５を備えている。
【００８１】
回収クーポン情報取得部７０１は、スキャナ等のクーポン情報読取装置を介して購入商品の精算処理において、回収したクーポンに印刷されているクーポン情報を取得し、取得クーポン情報記憶部７１１に記憶する。例えば、バーコード等を利用して印刷されているクーポン情報を取得する。
【００８２】
回収クーポン検証部７０２は、回収クーポン情報取得部７０１によって取得したクーポン情報が適正なクーポン情報であるか否か、即ち、利用されたクーポンが適正なクーポンであるか否かを検証する。例えば、取得したクーポン情報に基づいて店舗サーバシステム１１０のクーポン利用状況管理部６０４において、クーポン情報が適正であるか否かを検証させ、検証させた結果を取得する。
【００８３】
購入商品精算部７０３は、店舗サーバシステム１１０のサービス管理情報記憶部６１３に記憶されているクーポンサービス管理情報を含む商品サービス管理情報、購入商品の価格情報および回収クーポン検証部７０２によって適正であると検証された回収したクーポンのクーポン情報に基づいて、購入商品の精算処理を店舗サーバシステム１１０の精算管理部６０５に実行させ、精算処理結果情報を店舗サーバシステム１１０の精算管理部６０５により受信する。また、回収したクーポンのクーポン情報に基づいて収集された各種情報およびクーポン情報を含む回収クーポン情報を生成し、店舗サーバシステム１１０のクーポン利用状況管理部６０４により回収クーポン情報記憶部６１７に記憶させる。
【００８４】
クーポン発行条件判定部７０４は、購入商品精算部７０３により精算された購入商品の商品情報、顧客情報等に基づいて、店舗サーバシステム１１０のクーポン利用状況管理部６０４において、クーポンの発行条件を満たすか否かを判定させ、判定した結果を受信する。ここで、クーポンを発行すると判定された場合は、発行するクーポンの電子クーポン情報およびクーポン共通印刷情報も受信する。
【００８５】
クーポン印刷制御部７０５は、クーポン発行条件判定部７０４により受信した発行するクーポンの電子クーポン情報およびクーポン共通印刷情報と、クーポンの印刷に必要な店舗ＰＯＳ端末システムの各種情報とに基づいて、クーポンを印刷するために印刷装置へ送信するためのクーポン印刷送信情報を生成し、印刷装置へ送信する。ここで、クーポンの印刷は、レシートの一部として印刷することも、レシートの印刷とは分離してクーポンのみを印刷することも可能である。また、例えば、回収したクーポンのクーポン情報を取得するために、クーポン情報をバーコードに変換し、変換したバーコードを印刷するクーポン印刷送信情報を生成したりする。
【００８６】
図８は、クーポン仲介システムとメーカシステムとの間における電子クーポン登録の申し込み手順を示す一例である。
【００８７】
まず、メーカシステム１０３は、クーポン仲介システム１０１へ電子クーポン情報の登録申し込み情報の送信を要求する（Ｓ８０１）。
【００８８】
クーポン仲介システム１０１は、メーカシステム１０３よりの送信要求に基づいて、電子クーポン情報の登録申し込み情報を送信する（Ｓ８２１）。
【００８９】
メーカシステム１０３は、クーポン仲介システム１０１より電子クーポン情報の登録申し込み情報を受信し、受信した情報を表示する（Ｓ８０２）。
【００９０】
メーカシステム１０３は、表示された電子クーポン情報の登録申し込み情報に基づいて、キーボード、マウス等の入力装置を介して、所要の電子クーポン登録情報を入力する（Ｓ８０３）。
【００９１】
メーカシステム１０３は、入力した所要の電子クーポン登録情報をクーポン仲介システム１０１へ送信する（Ｓ８０４）。
【００９２】
クーポン仲介システム１０１は、メーカシステム１０３より電子クーポン登録情報を受信し、受信した電子クーポン登録情報から顧客情報を取り出し、検証を実行する（Ｓ８２２）。例えば、新規の顧客であるか、また、既に登録されている顧客情報である場合に変更情報はあるか等を検証する。
【００９３】
クーポン仲介システム１０１は、メーカシステム１０３より受信した電子クーポン登録情報からクーポン登録管理情報と、精算管理情報および画像情報の電子クーポン情報を取り出し、クーポン登録管理情報と電子クーポン情報の検証を実行し、所要の各種クーポン関連情報を生成する（Ｓ８２３）。例えば、受信した画像情報が電子クーポン情報の画像情報として登録できるか否かを検証したり、画像情報がない場合に所定の画像情報を生成したり、受信した電子クーポン情報に基づいて登録利用料を算出したりする。
【００９４】
クーポン仲介システム１０１は、検証したクーポン登録管理情報、検証した電子クーポン情報および生成した各種クーポン関連情報に基づいて、電子クーポン確認情報を生成し、メーカシステム１０３へ確認要求を送信する（Ｓ８２４）。
【００９５】
メーカシステム１０３は、クーポン仲介システム１０１より電子クーポン確認情報を受信し、受信した情報を表示し、表示された電子クーポン確認情報に基づいて、キーボード、マウス等の入力装置を介して、所要の確認結果情報を入力する（Ｓ８０５）。
【００９６】
メーカシステム１０３は、入力した所要の確認結果情報をクーポン仲介システム１０１へ送信する（Ｓ８０６）。
【００９７】
クーポン仲介システム１０１は、メーカシステム１０３より確認結果情報を受信し、受信した確認結果情報に基づいて、顧客情報から固有の顧客識別番号により管理できる顧客管理情報を生成し、顧客情報記憶部２１３へ顧客管理情報を格納する（Ｓ８２５）。
【００９８】
クーポン仲介システム１０１は、メーカシステム１０３より受信した確認結果情報に基づいて、電子クーポン情報からクーポン回収対象商品、クーポン回収対象商品の商品分類、顧客識別番号等により検索できる所定のフォーマットに従って編集したクーポン登録管理情報を生成し、クーポン登録管理情報記憶部２１２に格納する（Ｓ８２６）。
【００９９】
クーポン仲介システム１０１は、顧客を識別するための顧客識別番号、電子クーポン情報等を含む電子クーポン登録契約情報を生成し、メーカシステム１０３へ送信し（Ｓ８２７）、電子クーポン登録の申し込み手順におけるクーポン仲介システム１０１の処理を終了する。
【０１００】
メーカシステム１０３は、クーポン仲介システム１０１より電子クーポン契約情報を受信し、所定の記憶部に格納し（Ｓ８０７）、電子クーポン登録の申し込み手順におけるメーカシステム１０３の処理を終了する。
【０１０１】
図９は、クーポン仲介システムと店舗ＰＯＳシステムとの間における電子クーポン利用の申し込み手順を示す一例である。
【０１０２】
まず、店舗ＰＯＳシステム１０２は、クーポン仲介システム１０１へ利用可能な電子クーポンのメニュー情報の送信を要求する（Ｓ９０１）。
【０１０３】
クーポン仲介システム１０１は、店舗ＰＯＳシステム１０２からの送信要求に基づいて、利用可能な電子クーポンのメニュー情報を送信する（Ｓ９２１）。
【０１０４】
店舗ＰＯＳシステム１０２は、クーポン仲介システム１０１より利用可能な電子クーポンのメニュー情報を受信し、受信した情報を表示する（Ｓ９０２）。
【０１０５】
店舗ＰＯＳシステム１０２は、表示されたメニュー情報に基づいて、キーボード、マウス等の入力装置を介して、クーポンの種類を指定する（Ｓ９０３）。
【０１０６】
店舗ＰＯＳシステム１０２は、クーポン仲介システム１０１へ指定の電子クーポン情報の利用申し込み情報の送信を要求する（Ｓ９０４）。
【０１０７】
クーポン仲介システム１０１は、店舗ＰＯＳシステム１０２よりの送信要求に基づいて、指定の電子クーポン情報の利用申し込み情報を送信する（Ｓ９２２）。
【０１０８】
店舗ＰＯＳシステム１０２は、クーポン仲介システム１０１より指定の電子クーポン情報の利用申し込み情報を受信し、受信した情報を表示する（Ｓ９０５）。
【０１０９】
店舗ＰＯＳシステム１０２は、表示された指定の電子クーポン利用の申し込み情報に基づいて、入力装置を介して、所要の電子クーポン利用情報を入力する（Ｓ９０６）。
【０１１０】
店舗ＰＯＳシステム１０２は、入力した所要の電子クーポン利用情報をクーポン仲介システム１０１へ送信する（Ｓ９０７）。
【０１１１】
クーポン仲介システム１０１は、店舗ＰＯＳシステム１０２より電子クーポン利用情報を受信し、受信した電子クーポン利用情報から顧客情報を取り出し、検証を実行する（Ｓ９２３）。例えば、新規の顧客であるか、また、既に登録されている顧客情報である場合に変更情報はあるか等を検証する。
【０１１２】
クーポン仲介システム１０１は、店舗ＰＯＳシステム１０２より受信した電子クーポン利用情報からクーポン利用契約情報を取り出し、指定クーポンの電子クーポン情報を店舗ＰＯＳシステム１０２にダウンロードさせる許可を与えるか否かを判定するための検証を実行する（Ｓ９２４）。メーカシステム１０３から付属情報として指定されている情報を店舗ＰＯＳシステム１０２が了解するか否か、メーカシステム１０３から指定された店舗条件に店舗ＰＯＳシステム１０２を備えた店舗が適合するか否か等のクーポンを提供するメーカからの要求事項への適合を検証する。また、例えば、クーポン回収対象商品の在庫情報をクーポン利用契約情報の１つの情報として受信することにより、クーポン回収対象商品と回収クーポン情報とを関連付け、店舗ＰＯＳシステム１０２におけるクーポン利用の不正を防止することが可能となるような、クーポン利用契約情報に含まれている不正防止のための情報が適正な情報であるかを検証する。また、例えば、店舗ＰＯＳシステム１０２から要求されたダウンロードするため電子クーポン情報のデータ形式に変換可能であるかを検証する等のクーポンを利用する店舗からの要求事項の可能性を検証する。
【０１１３】
クーポン仲介システム１０１は、検証したクーポン利用契約情報に基づいて、クーポン利用確認情報を生成し、店舗ＰＯＳシステム１０２へ確認要求を送信する（Ｓ９２５）。
【０１１４】
店舗ＰＯＳシステム１０２は、クーポン仲介システム１０１よりクーポン利用契約情報を受信し、受信した情報を表示し、表示されたクーポン利用契約情報に基づいて、入力装置を介して、所要の確認結果情報を入力する（Ｓ９０８）。
【０１１５】
店舗ＰＯＳシステム１０２は、入力した所要の確認結果情報をクーポン仲介システム１０１へ送信する（Ｓ９０９）。
【０１１６】
クーポン仲介システム１０１は、店舗ＰＯＳシステム１０２より確認結果情報を受信し、受信した確認結果情報に基づいて、顧客情報から固有の顧客識別番号により管理できる顧客管理情報を生成し、顧客情報記憶部２１３へ顧客管理情報を格納する（Ｓ９２６）。
【０１１７】
クーポン仲介システム１０１は、店舗ＰＯＳシステム１０２より受信した確認結果情報に基づいて、クーポン利用契約情報を所定のフォーマットにより編集し、クーポン利用管理情報記憶部２１４に格納する（Ｓ９２７）。
【０１１８】
クーポン仲介システム１０１は、店舗ＰＯＳシステム１０２より受信した確認結果情報に基づいて、指定の電子クーポン情報のダウンロード情報を生成する（Ｓ９２８）。ここで、例えば、電子クーポン情報の画像情報のデータ形式が店舗ＰＯＳシステム１０２により指定されている場合は、指定するデータ形式となるように電子クーポン情報の画像情報を変換することも可能である。
【０１１９】
クーポン仲介システム１０１は、ダウンロード情報を店舗ＰＯＳシステム１０２へ送信し（Ｓ９２９）、電子クーポン利用の申し込み手順におけるクーポン仲介システム１０１の処理を終了する。
【０１２０】
店舗ＰＯＳシステム１０２は、クーポン仲介システム１０１よりダウンロード情報を受信し、所定の利用電子クーポン情報受信処理を実行し（Ｓ９１０）、電子クーポン利用の申し込み手順における店舗ＰＯＳシステム１０２の処理を終了する。
【０１２１】
図１０は、店舗ＰＯＳシステムにおけるダウンロード電子クーポン情報受信処理のフローチャートを示す一例である。
【０１２２】
まず、クーポン仲介システム１０１よりダウンロード電子クーポン情報を受信する（Ｓ１００１）。
【０１２３】
次に、クーポン仲介システム１０１より受信利用申し込み情報に基づいて入力した電子クーポン利用管理情報を、所定のフォーマットに基づいて編集したクーポン管理情報を生成し（Ｓ１００２）、生成したクーポン管理情報をクーポン管理情報記憶部６１１に格納する（Ｓ１００３）。
【０１２４】
次に、受信したダウンロード情報より取り出した電子クーポン情報と所定のフォーマットとに基づいて、店舗ＰＯＳシステム１０２において利用可能な画像情報を生成し（Ｓ１００４）、生成した画像情報と精算管理情報とからなる利用可能な電子クーポン情報を利用電子クーポン情報記憶部６１２に格納する（Ｓ１００５）。
【０１２５】
次に、クーポン管理情報に基づいて、クーポンを発行するためのクーポン発行対象商品情報、クーポンを利用できるクーポン回収対象商品情報、クーポン利用によるクーポン回収対象商品の値引き金額情報等のクーポンを利用する場合のクーポンサービス管理情報を生成し（Ｓ１００６）、店舗ＰＯＳシステム１０２において実施されるサービスの管理情報が格納されるサービス管理情報記憶部６１３に格納し（Ｓ１００７）、ダウンロード電子クーポン情報受信処理を終了する。
【０１２６】
図１１は、店舗ＰＯＳシステムにおけるクーポン発行回収処理のフローチャートを示す一例である。
【０１２７】
まず、購入された商品の商品情報を取得し、商品情報に基づいて、商品の代金等の商品精算情報を取得する（Ｓ１１０１）。
【０１２８】
次に、精算処理に利用するための回収クーポンのクーポン情報を取得したか否かを判定し（Ｓ１１０２）、クーポン情報を取得しなかった場合（Ｓ１１０２；Ｎｏ）は、次の精算処理（Ｓ１１０９）に移行する。
【０１２９】
クーポン情報を取得した場合（Ｓ１１０２；Ｙｅｓ）は、取得したクーポン情報を取り出し（Ｓ１１０３）、クーポン情報が適正なクーポン情報であることを検証する（Ｓ１１０４）。例えば、発行クーポンのクーポン情報と取得した回収クーポンのクーポン情報とを比較する。
【０１３０】
次に、適正なクーポン情報であることをステップＳ１１０４の検証結果より判定し（Ｓ１１０５）、適正なクーポン情報である場合（Ｓ１１０５；Ｙｅｓ）は、クーポンサービス管理情報をサービス管理情報記憶部６１３より取り出す（Ｓ１１０６）。次に、取り出したクーポン情報に基づいて、収集された各種情報およびクーポン情報を含む回収クーポン情報を生成し、回収クーポン情報記憶部６１７に格納し（Ｓ１１０７）、次の精算処理（Ｓ１１０９）に移行する。
【０１３１】
一方、適正なクーポン情報ではない場合（Ｓ１１０５；Ｎｏ）は、エラーメッセージの出力処理、利用したクーポンの破棄手続き処理等の不適正なクーポン情報であるためのエラー処理を実行し（Ｓ１１０８）、次の精算処理（Ｓ１１０９）に移行する。
【０１３２】
次に、購入商品の価格情報およびクーポンサービス管理情報を含む商品サービス管理情報に基づいて、購入商品の精算処理を実行する（Ｓ１１０９）。
【０１３３】
次に、購入商品の精算情報に基づいて、レシート印刷情報を生成し（Ｓ１１１０）、レシート情報印刷処理を実行する（Ｓ１１１１）。
【０１３４】
次に、購入商品の商品情報、顧客情報等に基づいて、クーポンを発行するためのクーポン発行条件に適合するか否かを検証し（Ｓ１１１２）、クーポン発行条件に適合することを検証結果より判定する（Ｓ１１１３）。
【０１３５】
クーポン発行条件に適合する場合（Ｓ１１１３；Ｙｅｓ）は、適合したクーポン発行条件に基づいて、発行するクーポンのクーポン情報、発行するクーポンのクーポン情報に基づいて収集する各種情報およびクーポンの印刷に必要な店舗ＰＯＳ端末システムの各種情報を取り出す（Ｓ１１１４）。
【０１３６】
次に、取り出した発行するクーポンのクーポン情報およびクーポン情報に基づいて収集した各種情報により、発行クーポン情報を生成し、生成した発行クーポン情報を発行クーポン情報記憶部６１６に格納する（Ｓ１１１５）。
【０１３７】
次に、取り出した発行するクーポンのクーポン情報、クーポンの印刷に必要な店舗ＰＯＳ端末システムの各種情報および購入商品の精算情報に基づいて、レシート印刷情報およびクーポン印刷情報を生成し（Ｓ１１１６）、レシート情報およびクーポン情報の印刷処理を実行し（Ｓ１１１７）、クーポン発行回収処理を終了する。ここで、クーポン情報の印刷は、レシートの一部として印刷することも、レシートの印刷とは分離してクーポン情報のみを印刷することも可能である。
【０１３８】
一方、クーポン発行条件に適合しない場合（Ｓ１１１３；Ｎｏ）は、クーポン発行回収処理を終了する。
【０１３９】
図１２は、クーポン仲介システム、メーカシステムおよび店舗ＰＯＳシステムの間における回収クーポン決算処理手順を示す一例である。
【０１４０】
店舗ＰＯＳシステム１０２は、精算管理情報記憶部６１５に格納されているクーポンによって値引きされた商品情報に基づいて値引き補てん金額を算出し、クーポン利用契約情報に基づいて回収したクーポンに付属する各種情報である回収クーポン情報を回収クーポン情報記憶部６１７から、発行したクーポンに付属する各種情報である発行クーポン情報を発行クーポン情報記憶部６１６から取り出し、算出された値引き補てん金額とともにクーポン精算送信情報を生成する（Ｓ１２０１）。
【０１４１】
店舗ＰＯＳシステム１０２は、クーポン仲介システム１０１へ顧客識別情報とともに、回収クーポンの値引き補てん金額を請求、発行クーポンおよび回収クーポンのクーポン情報の送信等を実施するための利用済みクーポンの決済申し込み情報の送信要求をする（Ｓ１２０２）。
【０１４２】
クーポン仲介システム１０１は、店舗ＰＯＳシステム１０２より利用済みクーポンの決済申し込み情報の送信要求を受信し、受信した店舗ＰＯＳシステム１０２の顧客識別情報に基づいて、クーポン利用契約している顧客管理情報を認証するとともに、利用契約されているクーポンの電子クーポン情報を取り出す（Ｓ１２２１）。
【０１４３】
クーポン仲介システム１０１は、取り出した利用契約されているクーポンのクーポン情報および顧客管理情報に基づいて、回収クーポンの値引き補てん金額を請求、発行クーポンおよび回収クーポンのクーポン情報の送信等を実施するための利用済みクーポンの決済申し込み情報を送信する（Ｓ１２２２）。
【０１４４】
店舗ＰＯＳシステム１０２は、クーポン仲介システム１０１より利用済みクーポンの決済申し込み情報を受信し、受信した利用済みクーポンの決済申し込み情報に基づいて、ステップＳ１２０１において生成したクーポン精算送信情報を編集し、クーポン仲介システム１０１へ編集したクーポン精算送信情報を送信する（Ｓ１２０３）。
【０１４５】
クーポン仲介システム１０１は、店舗ＰＯＳシステム１０２よりクーポン精算送信情報を受信し、受信したクーポン精算送信情報より発行クーポン情報および回収クーポン情報を取り出し、発行クーポン情報記憶部２１６および回収クーポン情報記憶部２１７に格納する（Ｓ１２２３）。
【０１４６】
クーポン仲介システム１０１は、クーポン利用管理情報記憶部２１４、発行クーポン情報記憶部２１６および回収クーポン情報記憶部２１７にそれぞれ格納されているクーポン利用契約情報、発行クーポン情報および回収クーポン情報を取り出し、取り出したクーポン利用契約情報、発行クーポン情報および回収クーポン情報に基づいて、回収クーポン情報が適正な情報であるか否かを検証する（Ｓ１２２４）。
【０１４７】
クーポン仲介システム１０１は、検証した回収クーポン情報および電子クーポン情報記憶部２１１の精算管理情報に基づいて、クーポン回収対象商品の値引き金額、即ち、店舗に対する値引き補てん金額を算出し、算出した値引き補てん金額と店舗ＰＯＳシステム１０２より受信したクーポン送信情報のクーポン回収分の値引き補てん金額の請求情報とが一致しているかを検証する（Ｓ１２２５）。
【０１４８】
クーポン仲介システム１０１は、店舗ＰＯＳシステム１０２により指定されたクーポン利用契約情報に含まれている決済方法に基づいて、検証した値引き補てん金額の支払い手続き処理を実行する（Ｓ１２２６）。
【０１４９】
店舗ＰＯＳシステム１０２は、クーポン仲介システム１０１により指定されたクーポン利用契約情報に基づいて、検証した値引き補てん金額を指定の決済方法の代金受領手続き処理を実行する（Ｓ１２０４）。
【０１５０】
クーポン仲介システム１０１は、メーカシステム１０３により指定された契約管理情報および精算管理情報に基づいて、検証した値引き補てん金額と手数料とを合計した請求金額を算出し（Ｓ１２２７）、回収クーポン情報、発行クーポン情報および算出した請求情報により生成したクーポン請求送信情報をメーカシステム１０３へ送信する（Ｓ１２２８）。
【０１５１】
メーカシステム１０３は、クーポン仲介システム１０１よりクーポン請求送信情報を受信し、受信したクーポン請求送信情報より取り出した発行クーポン情報および回収クーポン情報とクーポン登録契約情報とに基づいて、回収クーポン情報が適正な情報であるか否かを検証する（Ｓ１２４１）。
【０１５２】
メーカシステム１０３は、検証した回収クーポン情報およびクーポン登録契約情報に基づいて値引き補てん金額と利用料とを合計した支払い金額を算出し、算出した支払い金額とクーポン請求送信情報の請求情報とが一致しているかを検証する（Ｓ１２４２）。
【０１５３】
メーカシステム１０３は、クーポン仲介システム１０１により指定されたクーポン登録契約情報に含まれている決済方法に基づいて、検証した値引き補てん金額の支払い手続き処理を実行する（Ｓ１２４３）。
【０１５４】
クーポン仲介システム１０１は、メーカシステム１０３により指定された契約管理情報および精算管理情報に基づいて、検証した値引き補てん金額と手数料とを合計した請求金額を指定の決済方法の代金受領手続き処理を実行する（Ｓ１２２９）。
【０１５５】
メーカシステム１０３は、クーポン請求送信情報の発行クーポン情報および回収クーポン情報より所要の情報を取り出し、商品に関する情報分析を実行する（Ｓ１２４４）。
【０１５６】
【発明の効果】
以上説明したように、本発明によれば、以下の効果を奏する。
【０１５７】
本発明の電子クーポン管理システムにより、メーカの営業マンが、直接販売店へクーポンを配りに出向いたり、郵便、宅配便等を利用したりすることがないことから、クーポンの配布作業にかかるコストを削減することができる。
【０１５８】
また、販売店が希望するクーポンを取得できることから販売店の都合による商品の販売促進が可能となる。
【０１５９】
また、クーポン作成作業にかかるコストを削減することができる。
【０１６０】
また、メーカは、クーポンの活用により販売時点での消費者／販売店の関連情報を取得でき、商品の販売促進活動、商品開発の基礎情報として利用できる。
【図面の簡単な説明】
【図１】電子クーポン管理システムの概要構成の一例を示す図である。
【図２】クーポン仲介システムの本発明に関する機能ブロックの構成図を示す一例である。
【図３】クーポン仲介システムにおけるメーカ受付情報管理部の機能ブロックの構成図を示す一例である。
【図４】クーポン仲介システムにおける店舗受付情報管理部の機能ブロックの構成図を示す一例である。
【図５】クーポン仲介システムにおける決済情報管理部の機能ブロックの構成図を示す一例である。
【図６】店舗ＰＯＳシステムにおける本発明に関する店舗サーバシステムの機能ブロックの構成図を示す一例である。
【図７】店舗ＰＯＳシステムにおける本発明に関する店舗ＰＯＳ端末システムの機能ブロックの構成図を示す一例である。
【図８】クーポン仲介システムとメーカシステムとの間における電子クーポン登録の申し込み手順を示す一例である。
【図９】クーポン仲介システムと店舗ＰＯＳシステムとの間における電子クーポン利用の申し込み手順を示す一例である。
【図１０】店舗ＰＯＳシステムにおけるダウンロード電子クーポン情報受信処理のフローチャートを示す一例である。
【図１１】店舗ＰＯＳシステムにおけるクーポン発行回収処理のフローチャートを示す一例である。
【図１２】クーポン仲介システム、メーカシステムおよび店舗ＰＯＳシステムの間における回収クーポン決算処理手順を示す一例である。
【符号の説明】
１００    電子クーポン管理システム
１０１    電子クーポン仲介・コンピュータ・システム
１０２    店舗ＰＯＳ・コンピュータ・システム
１０５    ネットワーク
１１０    店舗サーバシステム
１１１    店舗ＰＯＳ端末システム
【図１】
2004171372.tif 000003
【図２】
2004171372.tif 000004
【図３】
2004171372.tif 000005
【図４】
2004171372.tif 000006
【図５】
2004171372.tif 000007
【図６】
2004171372.tif 000008
【図７】
2004171372.tif 000009
【図８】
2004171372.tif 000010
【図９】
2004171372.tif 000011
【図１０】
2004171372.tif 000012
【図１１】
2004171372.tif 000013
【図１２】
2004171372.tif 000014